Podtech/llm-jp-corpus-v4-ja_patent huggingface dataset:
(57)【要約】      （修正有）【課題】就寝時の暑さ対策用に開発商品化されている敷きパッドやシーツの新素材布等を利用して、カーシート及びチャイルドシート等と人体の間に取り付けることによって、シートベルトの安全機能を妨げずに、ドライブ時の快適さとさらなる安全性を確保するための快適ドライブ用人型パッドを提供する。【解決手段】不快感や摩擦痛を少しでも和らげ、ドライブ中の危険性増加防止のために、後頭部・首・肩・背中・臀部・脚部等、カーシートやチャイルドシート８と直接接する部分に、就寝時の暑さ対策用に開発された敷きパッドやシーツの新素材布等を使った人型パッド１を取り付ける。新素材布等のもつ特徴の吸湿や放熱による熱量減少を利用し、接触冷感を高め、シートベルト９の安全機能を妨げることなく、快適さの確保を可能にする。【選択図】図４
2010017565.tif 000002
【特許請求の範囲】
【請求項１】
就寝時の暑さ対策用に開発された敷きパッドやシーツの新素材布等を使って、乗車中の暑さからくる不快感や摩擦痛を和らげ、二次的に発生するドライブ中の危険性増加防止のための、車のシート本体及びチャイルドシートと人体との間にシートベルトの安全機能を妨げないように取り付けることを特徴とする快適ドライブ用人型のパッド。
【請求項２】
シートベルトの硬さからの摩擦痛緩和と暑さからの不快さ減少のために、上記同素材を表裏逆にボタン等で取り付け、個人に合わせて調節可能にした首・肩部へのあて部品（３）を付加したことを特徴とする快適ドライブ用人型パッド。
【発明の詳細な説明】
【技術分野】
【０００１】  本発明は、就寝時の暑さ対策用に商品化されている敷きパッドやシーツの新素材布等を利用して、カーシート及びチャイルドシート等と人体の間に取り付けることによって、ドライブ時の快適さと安全性を確保するための人型パッドに関するものである。
【背景技術】
【０００２】  従来、乗車中の安全確保を目的に、大人のためにはシートベルト、子供のためには子供用シートやチャイルドホルダー、チャイルドシート等の着用が義務化され、各種の工夫がなされた（特許文献１、２、３、４参照）。
また、乗車中の子供が遊べる遊具もあった（特許文献５参照）。
一方、就寝時の暑さ対策用に各種の新素材布等が作られ、それを使った敷きパッドやシーツが商品化されている。
【先行技術文献】
【０００３】
【特許文献１】  特許公開平５−２５４３６６
【特許文献２】  特許公開平８−２４２９７７
【特許文献３】  特許公開平１１−２２２０６２
【特許文献４】  特許公開２００１−４７９０２
【特許文献５】  特許公開２００１−３１４６６３
【発明の概要】
【発明が解決しようとする課題】
【０００４】  そのため、次のような問題点があった。
（イ）安全性については、強度な支持がなされている。しかし、特に乳幼児・小児用のも    のは大人よりもしっかり固定されているため、汗等の湿気が発散されず熱もこもる。    そこへ身動きが取れにくい不自由さも加わって不快感が高まるという問題があった。
（ロ）シートベルトは安全のため強度なものであるが、それ故に硬く、擦れると痛いとい    う問題があった。
（ハ）上記の不快感等により、特に乳幼児は嫌がったり泣いたりする。
そのため運転に集中できなかったり、同乗者も含め不快感が高まったりで、二次的で    はあるが事故への危険性が増し、安全・快適なドライブができないという重大な問題    が生じる。
本発明は、これらの問題点を解決するためになされたものである。
【課題を解決するための手段】
【０００５】  不快感や摩擦痛を少しでも和らげ、ドライブ中の危険性増加防止のために、後頭部（２）・首・肩・背中（４）・臀部（５）・脚部（６）等、カーシートやチャイルドシートと直接接する部分に、就寝時の暑さ対策用に開発された敷きパッドやシーツの新素材布等を使った人型パッド（１）を取り付ける。
吸湿や熱量減少から接触冷感を高め、シートベルト（９）の安全機能を妨げることなく、快適さの確保を可能にすることで課題を解決する。
以上を特徴とする快適ドライブ用人型パッドである。
【発明の効果】
【０００６】  新素材布等の特徴により、湿気が吸収発散され、熱量が減少するので接触冷感が得られ不快感が緩和される。
加えて、同新素材布等で首・肩部へのあて部品（３）でシートベルトをくるむので、硬いベルトが直接当たらず、上記同様不快感が緩和され、摩擦痛も減少する。
以上のように、不快感の緩和により、乳幼児もドライバーや同乗者も安全で快適なドライブが期待できる。
また、新素材中洗濯可能の物を選び、衛生を保ちくり返し使用することにより、車本体のシートを汚さず経済性も期待できる。
【図面の簡単な説明】
【０００７】
【図１】  本発明の乳幼児・小児用パッド本体図である。
【図２】  本発明の中学生・大人用パッド本体図である。
【図３】  本発明の５人乗り乗用車後部座席パッド本体図である。
【図４】  本発明の乳幼児・小児用パッドの使用状況の説明図である。
【発明を実施するための形態】
【０００８】  以下、本発明の実施の形態について説明する。
図１、図２、図３のように、シートベルトの安全性を妨げないように、車のシートやチャイルドシートと人体が接する部分だけをカバーするので人型のようになる。ただし、後部座席の場合は三人四脚のようにつながった人型になる。
さらに、首・肩に接する部分もシートベルトをマジックテープ（登録商標）（１３）でくるむようにするので人型の腕のように見える。それを人型胴部分と表裏逆にボタン等で本発明のパッド肩部分につけ、体に合わせた角度調整をしながら新素材布等の有効面が人体に当たるようにする。
本発明は以上のような構成である。
これを使用する時は、大人用の場合は、（１２）を車のシート頭部にかぶせ、固定ひも（１０）で車のシート本体首部と臀部にくくり取り付ける。後部座席の場合は、２、３人分がつながった形状なので、（１２）を車のシート頭部にかぶせ、シートベルト受け部をシートベルト取り出し穴（１４）から出し、次に脚部の固定ひもまたはゴムひもで取り付ける。
乳幼児・小児用の場合は、両肩でほぼ固定されるので臀部を固定ひも（１０）で取り付ける。
そして、着席してから首・肩部へのあて部品（３）・人型パッドの腕のような部品を、新素材布等の表が人体に接するようにしてマジックテープ（１３）でくるむようにして使用する。
なお、車種によって、また成長や個人差によって大きさ（座高等）が違ってくるので、Ｓ・Ｍ・Ｌ・ＬＬ等各サイズを作ったり、背腰部と臀部との境目で切り、マジックテープやホックで調節できるようにしたりして工夫・改良することが必要であろう。
【符号の説明】
【０００９】  １  人型パッド本体
２  後頭部
３  首・肩へのあて部品（シートベルトをくるむ。）
４  背中
５  臀部
６  脚部
７  乳幼児・小児が喜ぶような動物の耳型やかざり
８  チャイルドシート本体
９  シートベルト
１０  固定ひも
１１  浅いフード部分
１２  車のシート本体頭部にかぶせる部分
１３  マジックテープ（登録商標）
１４  シートベルト取り出し穴
１５  脚部の固定ひもまたはゴムひも
【図１】
2010017565.tif 000003
【図２】
2010017565.tif 000004
【図３】
2010017565.tif 000005
【図４】
2010017565.tif 000006
(57)【要約】      （修正有）【課題】安価で簡単に日常生活の中で顔の皺を取り除き、予防していく方法を提供する。【解決手段】自分の顔のオリジナルマスクを作って、その内面に滑りを止めるシリコン材等の肌に優しい素材を付着させその素材と顔面との間で発生する摩擦力を利用して皺もしくは、将来皺ができるかもしれない部分の皮膚を伸ばし、広げて皺の取り除きと予防をおこなうものである。オリジナルマスクをヘッドギアから切り離して、内面にシリコン材１を付着させる。【選択図】図２
2010017545.tif 000002
【特許請求の範囲】
【請求項１】
顔面の皺とたるみを取り除き及びその防止をする為の個々人のオリジナルマスクである。
顔面パーツの起伏等の情報を忠実に表現できるように、対象の個人の顔型をデスマスクの要領で作製する。その顔型にプラスチック等の硬質素材でオリジナルマスクの型を作りだす。立体印刷機で抽出した顔面情報をもとにオリジナルマスクの型をつくることができる。
【請求項２】
オリジナルマスクは、その内面に皺とたるみにあたる部分にシリコン膜を張り付けて装着する。皺とたるみの除去マッサージをしたあと、皺とたるみの部分を広げ及び伸ばした状態をシリコン膜と皮膚との間で発生する摩擦力を利用して固定するものである。オリジナルマスクは硬質であり、該当個人の顔面の起伏に完璧にフィットする。それに連結するヘッドギアは伸縮可能な素材であるため内面に接着されたシリコン膜と皮膚との間に発生する摩擦力を維持することができる。摩擦力の強度をオリジナルマスクとヘッドギアを連結する部分をマジックテープ（登録商標）式にすることで調整することができる。装着後の位置等の調整は調整窓から指を挿入しておこなうことができる。シリコン膜は皺とたるみの大きさや形に対応するためシートシール方式にし、随時、鋏等で切り取り付け替えて使用する。
【発明の詳細な説明】
【技術分野】
【０００１】
本発明は、日常生活の中で顔面の皺の取り除き、皺を予防することのできるマスクに関するものである。
【技術背景】
【０００２】
現在、顔面の皺を取り除き、または、それを防止するには美容整形、化粧品、マッサージ、高価な器具の使用等の時間とお金の掛かるものが多かった。
【０００３】
この改善策として、初期費用で自分の皺とりオリジナルマスクを作製する。時間経過に伴い、それをメンテナンスしていくことで何歳になっても対応可能となる。
【発明の開示】
【発明が解決しようとする課題】
【０００４】
解決しようとする課題は、いかにして安価で簡単に日常生活の中で顔の皺を取り除き、予防していくかである。
【課題を解決するための手段】
【０００５】
本発明は、自分の顔のオリジナルマスクを作って、その内面に滑りを止めるシリコン材等の肌に優しい素材を付着させその素材と顔面との間で発生する摩擦力を利用して皺もしくは、将来皺ができるかもしれない部分の皮膚を伸ばし、広げて皺の取り除きと予防をおこなうものである。
【発明の効果】
【０００６】
本発明は、
【発明を実施するための最良の形態】
【０００７】
該当個人の顔面の形を正確にコピーしたマスクを製作することが一番重要である。デスマスクを作る要領、立体印刷機等の機械の普及により当機械を利用すると非常に簡単である。
【実施例１】
【０００８】
図1は、オリジナルマスクを顔面に装着したところである。矢印の方向は、シリコン材と皮膚の間に発生する摩擦力を利用して皺とたるみを広げ、伸ばして調整する方法を示している。
【実施例２】
【０００９】
図2は、オリジナルマスクをヘッドギアから切り離して、内面にシリコン材を付着させているところである。
【実施例３】
【００１０】
図3は、オリジナルマスクとヘッドギアを装着する直前の外観である。
【産業上の利用可能性】
【００１１】
本発明は加齢による皺とたるみに悩む女性にリーズナブル、簡単にそしてオリジナルマスクを装着するだけで日常生活の中で手入れを可能にする。
【図面の簡単な説明】
【００１２】
【図１】オリジナルマスクの装着図（実施例１）
【図２】オリジナルマスクの内面図（実施例2）
【図３】オリジナルマスク外観図（実施例3）
【符号の説明】
【００１３】
1．シリコン材
2．覗き穴
3．吸気穴
4．口穴
5．マジックテープ付きベルトの通し穴
6．マジックテープ付きベルト
7．ヘッドギア
8．マジックテープ
9．オリジナルマスク
10．頭の出し入れ穴
【図１】
2010017545.tif 000003
【図２】
2010017545.tif 000004
【図３】
2010017545.tif 000005
(57)【要約】【課題】  本発明は、吸水性の優れたタオル布地の裏面に防水性のある合皮を接着した足ふき用マットの周りを色別布地で縁取りした数枚のマットを束ねた足ふき用マットを提供する。【解決手段】  吸水性の優れたタオル布地と防水性のある合皮を接着した足ふき用マットを構成し、そのマットの縁を色別の布で縁取りした足ふき用マットを数枚束ねた足ふき具。【選択図】図１
2010017510.tif 000002
【特許請求の範囲】
【請求項１】
吸水性の優れたタオル布地の裏面に防水性のある合皮を接着した足ふき用マットの周りを色別布地で縁取りして、数枚のマットを束ねた足ふき具。
【発明の詳細な説明】
【技術分野】
【０００１】  本発明は、吸水性の優れたタオル布地の裏面に防水性のある合皮を接着した足ふき用マットの周りを色別布地で縁取りした数枚のマットを束ねた足ふき具に関するものである。
【背景技術】
【０００２】  従来の風呂上がりの足ふき用マット具としては、１枚の足ふき用マットを共同で使用するものがあった。また、継続使用に際しても使用者にベタツキ感を与えないマットとして、足を載せる部分が立体メッシュ構造をなすマットからなる発明が知られている。（特許文献１）
【特許文献１】特開２００３−１００３１号
【発明の開示】
【発明が解決しようとする課題】
【０００３】  そのため、次のような問題点があった。
（イ）家族の多い家庭では、１枚の足ふき用マットで、風呂上がりの人が数人で使用するため、２人目以降の人が足を拭く時、足ふき用マットが濡れていて気持ちが悪かった。
（ロ）特に、水虫のある人が使用するとその後に使用する家族に水虫を伝染させる害があった。
本発明は、以上の問題点を解決するためになされたものである。
【課題を解決するための手段】
【０００４】  本発明は、吸水性の優れたタオル布地の裏面に防水性のある合皮を接着した足ふき用マットを構成し、更にその足ふき用マットの周りを色別布地で縁取りした数枚のマットを束ねたて使用できるようにした。
以上を特徴とする足ふき具である。
【発明の効果】
【０００５】  本発明は、使用する足ふきマットの色を個人別に固定しておけば、常に自分専用の乾いた新しいマットが使用できるので、大変気持ちがよく衛生的である。
更に、水虫などのある人が使用するマットとは別のマットを使うことが出来て、風呂に入る順序に関係なくいつでも乾いた状態の足ふきマットを使用することができる。
【発明を実施するための最良の形態】
【０００６】  以下、本発明の実施の形態を図１〜図５により説明する。
（ア）方形状からなる吸水性の優れたタオル生地（２）の裏側に、防水性のある合皮（３）を貼り合わせて足ふきマット（１）とする。
（イ）その足ふき用マット（１）の縁を数種の色別の布地で縁取り（４）をする。
（ウ）以上のようにした足ふき用マット（１）を数枚束ねて一端を固定部（４）とする。
本発明は、以上の構成よりなるもので、これを使用するときには、家族で使用する足ふき用マットの色を予め決めておき、風呂上がりに足を拭くとき、図４に示すように自分專用の足ふき用マットを出して、足を拭くようにする。
このようにすると、水虫などの人が使用する足ふき用マットの上に自分の足をのせずに、いつでも渇いた状態の新しい自分専用の足ふき用マットで足が拭けるようなる。
また、使用後はそのまま洗濯機の中に入れて洗濯し、図５に示すように洗濯ハンガー（６）に洗濯バサミ（７）で吊せば簡単に乾かすことができて、毎日新しい足拭き用マットを使用することができる。
【図面の簡単な説明】
【０００７】
【図１】本発明の全体斜視図
【図２】本発明の足ふき用マット１枚の斜視図
【図３】本発明の足ふき用マット１枚の斜視図のＡ−Ａ断面図
【図４】本発明の使用状態を示す斜視図
【図５】本発明の洗濯乾燥状態を示す斜視図
【符号の説明】
【０００９】  １  足ふき用マット
２  タオル生地
３  合皮
４  色別縁取り布
５  足ふき用マット固定部
６  洗濯ハンガー
７  洗濯バサミ
【図１】
2010017510.tif 000003
【図２】
2010017510.tif 000004
【図３】
2010017510.tif 000005
【図４】
2010017510.tif 000006
【図５】
2010017510.tif 000007
(57)【要約】【課題】浴室内の鏡の曇り止め装置を提供する。【解決手段】鏡面の上辺に放水管を付けて、放水管の下部に開けた複数の放水孔から放水された水雫が鏡面を伝わり落下する際に鏡面に付着した湯気を同時に拭い去ることにより、放水を停止後の一定の期間は鮮明な映像を確保出来ることと再び湯気により鏡面が不鮮明になれば手元の給水栓の開閉制御で放水を開始及び停止出来ることを特徴とする鏡の曇り止め装置。【選択図】図１
2010017502.tif 000002
【特許請求の範囲】
【請求項１】
風呂場に設けられた鏡の上辺に放水管を付けて、給水栓の制御により放水管の下部に開けた複数の放水孔から放水された水雫が鏡面を伝わり、落下する際に鏡面に付着した湯気を同時に拭い去る事により、必要な時に鏡面上に鮮明な映像を確保する事が出来る浴室内の鏡面の曇り止め装置。
【発明の詳細な説明】
【技術分野】
【０００１】  本発明は入浴中、浴室内の鏡の表面に湯気が付着して鏡が曇り、鮮明に姿・形を写さなくなる状態を改良して本来の鮮明な映像を鏡面上に得るようにする浴室内の鏡面の曇り止め装置に関するものである。
【背景技術】
【０００２】従来、一般家庭用及びそれに類する風呂場は、閉め切って入浴するため、湯気が充満し、洗い場に鏡があっても鏡の表面に湯気が付着し、良く映らない状態になっている。
【発明の開示】
【発明が解決しようとする課題】
【０００３】  この原因は、一般家庭用及びそれに類する風呂場が次の状況にあるためである。
（イ）風呂場の面積が狭いため、湯気が部屋全体に充満する。
（ロ）窓や換気扇がある場合でも、室内の湯気を排出する目的でそれらを長く開けたり、長く稼動したりすれば寒くなるので入浴中は殆ど使用されない。
【課題を解決するための手段】
【０００４】  鏡面の上辺に放水管を付けて、放水管の下部に開けた複数の放水孔から放水された水雫が鏡面を伝わり落下する際に鏡面に付着した湯気を同時に拭い去るようにする装置である。但し、水雫が鏡面を落下中は水雫が乱反射するため、鮮明な映像の確保は難しいので手元にある給水栓の制御により、放水の停止を行なうことで鏡面より水雫が落下した後、一定の期間に鮮明な映像の確保が出来るようになる。又、湯気の付着により不鮮明になれば、手元の給水栓の制御を行なうことにより、引き続き鮮明な映像の確保を行なうものとする。
【発明の効果】
【０００５】  鏡面の下部に給水栓を設けて手動により、給水栓を開閉し、鏡面の上部の放水孔から放たれた水雫を制御する事により鏡面上に付着した湯気を洗い流す効果が生じる。この時、水雫が鏡面を落下中は鏡面を流れる水雫が均一でないため、鏡面上の像が歪んで見えるが、給水栓を閉じて水雫が鏡面から落下し終わると湯気を洗い流された鮮明な映像が鏡面上に映し出される。湯気はしばらくすると徐々に鏡面上に付着してきて映像が見え難くなってくるが、一度洗い直すとしばらくは鮮明な映像を鏡面上に映し出す。
引き続き鮮明な映像を必要とする時は再び給水栓を開き、放水の水雫で鏡面上の湯気を洗い流す事により鮮明な映像を得る事が出来る。
【発明を実施するための最良の形態】
【０００６】  以下、本発明の実施の形態について説明する。
（イ）鏡（１）の裏に給水管（２）を敷設し、鏡（１）の上辺に取り付けた放水管（３）に給水管（２）を接続し、放水管（３）の下部に開けた複数の放水孔（４）から給水が放水出来るようにする。
（ロ）鏡（１）の下端より下方の給水管（２）に給水栓（５）を取り付ける。
本発明は以上の構成より成っている。尚、給水栓（５）は手動バルブとし、放水される水は温水でも冷水でも良い。
【符号の説明】
【０００８】１  鏡
２  給水管
３  放水管
４  放水孔
５  給水栓
【図１】
2010017502.tif 000003
【図２】
2010017502.tif 000004
【手続補正書】
【提出日】平成20年11月4日(2008.11.4)
【手続補正１】
【補正対象書類名】明細書
【補正対象項目名】全文
【補正方法】変更
【補正の内容】
【発明の詳細な説明】
【技術分野】
【０００１】本発明は入浴中、浴室内の鏡の表面に湯気が付着して鏡が曇り、鮮明に姿・形を写さなくなる状態を改良して本来の鮮明な映像を鏡面上に得るようにする浴室内の鏡面の曇り止め装置に関するものである。
【背景技術】
【０００２】従来、一般家庭用及びそれに類する風呂場は、閉め切って入浴するため、湯気が充満し、洗い場に鏡があっても鏡の表面に湯気が付着し、良く映らない状態になっている。
【発明の開示】
【発明が解決しようとする課題】
【０００３】この原因は、一般家庭用及びそれに類する風呂場が次の状況にあるためである。
（イ）風呂場の面積が狭いため、湯気が部屋全体に充満する。
（ロ）窓や換気扇がある場合でも、室内の湯気を排出する目的でそれらを長く開けたり、長く稼動したりすれば寒くなるので入浴中は殆ど使用されない。
【課題を解決するための手段】
【０００４】鏡面の上辺に放水管を付けて、放水管の下部に開けた複数の放水孔から放水された水雫が鏡面を伝わり落下する際に鏡面に付着した湯気を同時に拭い去るようにする装置である。但し、水雫が鏡面を落下中は水雫が乱反射するため、鮮明な映像の確保は難しいので手元にある給水栓の制御により、放水の停止を行なうことで鏡面より水雫が落下した後、一定の期間に鮮明な映像の確保が出来るようになる。又、湯気の付着により不鮮明になれば、手元の給水栓の制御を行なうことにより、引き続き鮮明な映像の確保を行なうものとする。
【発明の効果】
【０００５】鏡面の下部に給水栓を設けて手動により、給水栓を開閉し、鏡面の上部の放水孔から放たれた水雫を制御する事により鏡面上に付着した湯気を洗い流す効果が生じる。
この時、水雫が鏡面を落下中は鏡面を流れる水雫が均一でないため、鏡面上の像が歪んで見えるが、給水栓を閉じて水雫が鏡面から落下し終わると湯気を洗い流された鮮明な映像が鏡面上に映し出される。湯気はしばらくすると徐々に鏡面上に付着してきて映像が見え難くなってくるが、一度洗い直すとしばらくは鮮明な映像を鏡面上に映し出す。
引き続き鮮明な映像を必要とする時は再び給水栓を開き、放水の水雫で鏡面上の湯気を洗い流す事により鮮明な映像を得る事が出来る。
【発明を実施するための最良の形態】
【０００６】以下、本発明の実施の形態について説明する。
（イ）鏡（１）の裏に給水管（２）を敷設し、鏡（１）の上辺に取り付けた放水管（３）に給水管（２）を接続し、放水管（３）の下部に開けた複数の放水孔（４）から給水が放水出来るようにする。
（ロ）鏡（１）の下端より下方の給水管（２）に給水栓（５）を取り付ける。
本発明は以上の構成より成っている。尚、給水栓（５）は手動バルブとし、放水される水は温水でも冷水でも良い。
【図面の簡単な説明】
【０００７】
【図１】  本発明の斜視図
【図２】  本発明の側面図
【符号の説明】
【０００８】    １  鏡
２  給水管
３  放水管
４  放水孔
５  給水栓
(57)【要約】【課題】  本発明は、セーター、トレーナーなど、首周りを伸ばすことなく衣類を物干し竿に掛けることが出来るハンガーである。  また、数個を連結することで、セーターなどの型崩れを防止し、さらに脇の下部分も乾きやすく干すことのできるハンガーを提供する。【解決手段】  棒状の本体に、取り外し及び本体との接合位置を自在に取り付けることが出来るようにクリップを設け、クリップにフックを設け、棒状の本体の両端に、他の本体同士と連結出来るように連結具を設けたことを特徴とする、ハンガー。【選択図】図５
2010017501.tif 000002
【特許請求の範囲】
【請求項１】
棒状の本体に、取り外し及び本体との接合位置を自在に取り付けることが出来るようにクリップを設け、クリップにフックを設け、棒状の本体の両端に、他の本体同士と連結出来るように連結具を設けたことを特徴とする、ハンガー。
【発明の詳細な説明】
【技術分野】
【０００１】  本発明は、セーター、トレーナーなど、首周りを伸ばすことなく衣類を物干し竿に掛けることが出来るハンガーである。
また、数個を連結することで、セーターなどの型崩れを防止し、さらに脇の下部分も乾きやすく干すことのできるハンガーに関するものである。
【背景技術】
【０００２】  従来、セーター、トレーナーなど、伸縮性があり、厚みのある衣類を洗い、物干し竿に掛けて干すときに、一般的なハンガーに掛けて干すと、袖部分の重みにより肩の部分が型崩れしてしまう。
さらに、袖部分も胴体部分に接しているので、脇の下などは乾きにくかった。
物干し竿に両袖を広げるように通して干す方法もあるが、長袖の場合、袖から袖までの長さは身長ほどになり、長い物干し竿が必要であるし、またそれを細い袖口から通し、さらに狭いベランダで洗濯物を汚さないように物干し竿を所定の位置にかけるというのも大変な作業である。また、物干し竿に直接通して干すのは、取り込む時にも大変である。
型崩れしないようにするためには、平面なネットの上などに広げて干すというのも一般的な方法であるが、それにはセーターを広げられる広さの平面な場所が必要であり、昨今の住宅事情を考えると難しい。
また、首周りの狭い衣類をかける際は、ハンガーを変形させて首周りから入れるタイプのものが主流であった。
【特許文献１】  特開平６−２３１９２  号公報
【特許文献１】  特開２００６−１５８９２８  号公報
【発明の開示】
【発明が解決しようとする課題】
【０００３】  そのために、以下のような場合には不便であった。
（イ）セーター、トレーナーなどの伸縮性のある、特に長袖などの衣類は、一般的な形の    ハンガーにかけると、とくに肩部分が飛び出すように型崩れしてしまう。
袖部分は、胴体部分に接してしまい、脇の下部分が乾きにくかった。
（ロ）物干し竿に袖口を通して干す場合にも、狭いベランダなどでは干すスペースとその    ための動作に限りがある。また、取り込みも迅速にできない。
（ハ）セーターなどをネットの上に広げて干すこともあるが、その場合、広くて平面なス    ペースが必要であった。
（ニ）ハンガー自体が変形して細くなり首周り部分から挿入しやすい構造のハンガーでも    、ハイネックなど、首周りが細く、立ち上がっている場合は、ハンガーを入れにくか    った。
本発明は、これらの題点を解決するためになされたものである。
【課題を解決するための手段】
【０００４】  棒状の本体に、取り外し及び本体との接合位置を自在に取り付けることが出来るようにクリップを設ける。
クリップにフックを設ける。
棒状の本体の両端に、他の本体同士と連結出来るように連結具を設ける。
以上のように構成されたハンガー。
【発明の効果】
【０００５】  本発明品を３つ連結して使用することによって、セーター、トレーナーなども、肩、袖の型崩れなく、脇の下も風通しよく干すことができる。
また、干すためのスペースも少なくてすむ。
本発明を単一で使用することもでき、ハイネックなどの首周りが細い衣類でも、簡単にハンガーにかけることができる。
【発明を実施するための最良の形態】
【０００６】  以下、本発明の実施の形態について説明する。
棒状の本体（１）に、取り外し及び本体との接合位置を自在に取り付けることが出来るようにクリップ（３）を設ける。
本体（１）に、位置が自在に固定できるクリップ（３）と、クリップ（３）に回転可能に設けられたフック（２）からなる、フック付クリップ部を構成する。
棒状の本体（１）の両端に、他の本体同士と連結出来るように連結具（４）を設ける。
以上のように構成されたハンガーである。
次に使い方を説明する。
図４に示すように、棒状な本体（１）の真ん中にフック付クリップを装着することによって、一般的なハンガーとして使用することができる。
図５に示すように、長袖のセーター、トレーナーを干す場合には、本発明品を連結具（４）によって３つを連結させて使用する。
真ん中の本体には中心部分にフック付クリップを装着し、衣類（５）を掛ける。
左右にそれぞれ袖部分を通し、本体同士を連結させる。
左右それぞれの袖口から出た部分にフック付クリップを装着し、３ヵ所のフック（２）を物干し竿（６）に掛ける。
このとき、クリップ（３）に対してフック（２）は回転可能に取り付けているので、物干し竿（６）に掛けたときに、各ハンガーのフック付クリップ部に負荷がかかることがない。
図６に示すよう、本発明品を３つ連結して物干し竿（６）に掛けた場合、連結具（４）も角度が固定されない。
また、３ヵ所のフックで吊るすことによって、風などで衣類が揺れたときにも、物干し竿から落ちにくく、省スペースで干すことができる。
図７に示すように、ハイネックなど首周りからハンガーを入れにくい場合は、フック付クリップ部を外すと、本体（１）は袖口または首周りからでも衣類内に挿入しやすく、本体（１）を挿入してからクリップ（３）を首周りの穴から固定することができる。
フックを本体（１）に固定する方法は、たとえば、面ファスナーなどで固定するなど、クリップに限定しなくても使用できる。
連結具（４）も、連結するための方式を限定しなくても使用できる。
【図面の簡単な説明】
【０００７】
【図１】  本発明の斜視図である。
【図２】  本発明の本体とフック付クリップ部を外した状態を示した斜視図である。
【図３】  本発明の側面図である。
【図４】  本発明の使用状態を示した斜視図である。
【図５】  本発明の使用状態を示した斜視図である。
【図６】  本発明の使用方法を示した上面図である。
【図７】  本発明の使用方法を示した斜視図である。
【符号の説明】
【０００８】１  本体
２  フック
３  クリップ
４  連結具
５  衣類
６  物干し竿
【図１】
2010017501.tif 000003
【図２】
2010017501.tif 000004
【図３】
2010017501.tif 000005
【図４】
2010017501.tif 000006
【図５】
2010017501.tif 000007
【図６】
2010017501.tif 000008
【図７】
2010017501.tif 000009
(57)【要約】      （修正有）【課題】従来のマスクを就寝時に使用すると密着感が強すぎて息苦しく、寝苦しいため無意識に外してしまうこともあった。【解決手段】口・鼻とマスクとの間に隙間を設け、なおかつ自分自身から吐き出された水蒸気を逃がさないようにして、適度に新しい空気と混ぜて吸込む。１部を頭部に固定し、２部でつなぎ、３部を鼻・口の前に位置できるようにする。１部はベルトあるいはゴムで頭部に固定する。就寝時、楽に呼吸ができ、十分な湿気を得られる。【選択図】図１
2010017503.tif 000002
【特許請求の範囲】
【請求項１】
吐き出す息の中の水蒸気をなるべく逃さずに新しい空気と混ぜて吸い込み就寝時の喉の渇きを軽減するマスク。
【発明の詳細な説明】
【技術分野】
【０００１】本発明は就寝時の喉の渇きを軽減するためのマスクです。
【背景技術】
【０００２】従来のマスクでは密着感が強すぎて息苦しくなってしまい、就寝時に使うと寝苦しいものでした。
【発明の開示】
【発明が解決するための手段】
【０００３】口・鼻とマスクとの隙間を設け、なおかつ自身から吐き出された水蒸気を逃がさない様にして、適度に新しい空気と混ぜて吸い込む。
【課題を解決するための手段】
【０００４】本発明は図の１部を頭部に固定し２部でつなぎ３部を鼻・口の前に位置できる様にする。
【０００５】図の１はベルトあるいはゴムで頭部に固定する。
【０００６】図の２の繋ぎ目は３が押された時に動き、押す力が無くなった時には元に戻る素材が良い。
【０００７】図の３はレジン系などの加工のし易い素材が良い。
【０００８】本発明の重要な事はある程度の容積を持った図３の様な物体を就寝時に鼻・口の前方に置き顔との間に隙間をもたせ就寝時吐いた息に含まれる水蒸気をなるべく逃がさない様にして、吸い込む時隙間から新しい空気と混ぜて湿気を持った状態の空気を体内に取り入れる事である。
【０００９】０００８の状態をより良くつくるためには顔との隙間は顎の方より目に近い方を多く開けた方が良いと思われる。
【００１０】図の３内部に水分をしみ込ませた物・芳香剤・アロマ剤を設置して湿気を補助し安らぎ効果をもたせる事も有効である。
【００１１】図の１は帽子状のものでも良い。
【００１２】図の３の外側に絵を施して可愛くするのも一考である。
【発明の効果】
【００１３】就寝時に湿気を持った空気を吸うことにより喉の渇き・痛みを軽減することができる。
【図面の簡単な説明】
【００１４】
【図１】は装着したところを側面から見た図。１は３本体を保持するために２を介して頭部に固定する。
【図２】は正面から見た図。
【図１】
2010017503.tif 000003
【図２】
2010017503.tif 000004
(57)【要約】      （修正有）【課題】ワインを楽しむ場において、花に見立てた装飾造花で従来には無かった方法で事前の装飾効果を得るとともに、グラスに注ぐ過程での花びら部の色彩・形状変化を楽しみ、効果的に盛り上げ、同時に装飾造花のしくみの工夫により液だれを防止する。【解決手段】ワインボトルの首先に取り付ける装飾造花は花びら部１・それを支えるがく２・根元部の取付リング３により構成される。これは事前の装飾効果を生み出すだけでなく、ワインを注ぐ際に生じる液だれが花びら部１に浸透することにより生じる花びらの色・動きの変化を楽しむことができる。また、花びら部１の吸収素材や形状工夫により、液だれをその位置でストップし、さらなる下方への不快な液だれを解消することができる。【選択図】図１
2010017516.tif 000002
【特許請求の範囲】
【請求項１】
花に見立てた吸水性素材の花びら部とそれを支えるがくおよびその下部に連結する取付リングから構成され、ワインボトルの首先に取り付けることにより様々な演出効果を実現する液だれ防止付装飾造花。
【発明の詳細な説明】
【技術分野】
【０００１】本発明は、ワインの浸透による視覚的演出効果を図った液だれ防止付装飾造花に関する。
【背景技術】
【０００２】従来の技術として造花においてはその製法等、また、液だれ防止においては、急須の注ぎの形状の工夫によるお茶の液だれ防止等、それぞれ単独に目的を果たす技術は存在する。
【特許文献１】特開２００４−２１８０９５  公報
【特許文献２】特開２００７−２５５９９５  公報
【発明の開示】
【発明が解決しようとする課題】
【０００３】本発明はワインを飲むだけでなく、注ぐ過程において場をより効果的に盛り上げ、尚且つ液だれ防止という機能的付加価値を擁するものを実現できないかという課題を解決しようとするものである。
【課題を解決するための手段】
【０００４】花に見立てた花びら部とそれを支えるがくの下部にはワインボトルの首先に取り付けるための取付リングが連結される。
本発明は以上のような構成よりなる液だれ防止装飾造花である。
【発明の効果】
【０００５】ワインをグラスに注ぐ過程において、ワインの液が花びら部に適切なスピードと量加減で浸透し、ワインの種類により様々な色に染まっていく。さらに花びらの素材が形状変化を起こし、まるで生き生きと花が開いていくような動きを楽しむことができる。また、ワインの種類による微妙な色変化の違い（例えば鮮やかな赤ワイン、ピンクに染まるロゼ、微妙な淡い変化を楽しむ白ワイン等）や花びらに付着する香りの違いも付加される楽しみの一つとなる。【０００６】注ぐ過程のみならず、飲む前のテーブルに置かれた状態では造花を取り付けたワインボトルはテーブル上の室内装飾としての効果を備える。装飾のみで完結せず、注ぐときにさらなるサプライズが待っていることに意外性と感動を得ることができる。また、使用後の造花はワインで染まった色と付着した香りにより、飲んだワインの余韻を数日間楽しむことができる。【０００７】花びら部の素材は吸収性の強いペーパータオルや布等の素材を使用しており、液だれ防止の効果をもち、ボトルを伝わる不快な液だれを解消する。
【発明の実施するための最良の形態】
【０００８】以下、本発明の実施の形態を図１〜図５に基づいて説明する。
【０００９】図においては１は吸水素材を使用した花びら部であり、それを支持する２は補強を兼ねたがくである。３はワインボトルの首先にはめこんで取り付けるための取付リングである。
【００１０】花びら部１はワインの浸透が最適な色・形の変化を生み、尚且つ吸収力に優れたペーパータオルや布等の素材を使用する。この素材により、花びらが適性な速度で刻々と色が移り変わる様子を楽しむことができる。また、素材の適度な柔らかさが液の浸透する経過において花びら部１の各所に動きを与え、花びら全体が生き生きと開いていく様子を楽しむこともできる。さらに取付リング３より下部への不快な液だれを防止する。
【００１１】花びら部１・がく２・取付リング３の成り立ちは、根元の取付リングと花びら部の間に複数のがくが均等に設置されており、ワインを吸収した花びらが液体の重さで開きすぎてしまうのを防止するストッパーとしての役割を果たしている。
【００１２】花びら部は１枚１枚のカーブを強めにしてさらに２０枚程のかなり多めの枚数の花びらを付けることにより、１本のワインを注ぎ終わるに十分な液だれの吸収に対応しており、注ぎ方の差にも影響されることなく安定した効果と形状保持を可能にしている。
【００１３】ワインボトルの首先に取り付ける取付リングはすべてのボトルに対応できる１０．５センチの円周にしており、小さすぎて装着できないもしくは大きすぎて隙間から液だれする等の問題を解決している。
【図面の簡単な説明】
【００１４】
【図１】本発明の実施形態を示す液だれ防止付装飾造花の正面図
【図２】ワインボトルに取り付けた状態の外観図
【図３】花びら部とがくと取付リングの詳細を示す部分拡大図
【図４】取付リングと複数のがくの形状を示す底面図
【符号の説明】
【００１５】１  花びら部
２  がく
３  取付リング
【図１】
2010017516.tif 000003
【図２】
2010017516.tif 000004
【図３】
2010017516.tif 000005
【図４】
2010017516.tif 000006
(57)【要約】【課題】  従来の全身鏡は、大型で重量がある平面鏡のため移動や携行が困難で、屋外や全身鏡の無い部屋では全身を映す事ができなく、また多数の人が同時に見る事もできなかった。【解決手段】  凸面鏡により小型軽量を図り、平面の顔面鏡とも連結して携行に便利なものとした。芸能界の利用では、ドラマなどのロケ現場で大勢の出演者が同時に全身を見る事ができ、個人の利用では、パーティなどで着飾った時に会場に入る前に全身をチエツクできる。【選択図】図１
2010017513.tif 000002
【特許請求の範囲】
【請求項１】
平面鏡と凸面鏡からなる、携帯用顔面鏡連結全身鏡。
【発明の詳細な説明】
【技術分野】
【０００１】  小型軽量で、どこでも全身や顔面を映すことができる、業務用及び個人用の携帯鏡。
【背景技術】
【０００２】  従来の全身鏡（姿見）は人の身長以上あり、大きくて重たい平面鏡でできていた。
【発明の開示】
【発明が解決しようとする課題】
【０００３】  大型で重量がある平面全身鏡は移動や携行が困難で、屋外や全身鏡の無い部屋では全身を映す事ができなく、また多数の人が同時に見る事もできなかった。
【課題を解決するための手段】
【０００４】  凸面鏡の利用により小型軽量で、全身が映るようにした。また、平面顔面鏡と連結して、スタンドを上下逆にすることにより簡単に顔面も映すことが出来るようにした。
【発明の効果】
【０００５】  １人に１個づつどこにでも携行できるので、同時に多数の人が見ることができる。
【発明を実施するための最良の形態】
【０００６】  ハンドバッグやポケットやに入る大きさにし、携行に便利なものとした。
凸面全身鏡「１」を凸面全身鏡ケース兼台座「２」に収納し、平面顔面鏡「３」を平面顔面鏡ケース兼台座「４」収納して、双方をスタンド兼２連蝶番「５」で連結し、掛止具「６」にて掛止したもの。
凸面全身鏡として使用する場合は、掛止具を外して蓋を開け凸面全身鏡を約２９０度回転させてスタンド兼２連蝶番を立て、平面顔面鏡ケース兼台座を下にして机上などの端側に置き（中ほどに置くと天板が映ってしまう）、身長や机上に合わせて角度を調節して全身を映す。平面顔面鏡として使用する場合は、上下を逆にして角度を調節する。
【実施例】
【０００７】  業務用として芸能界全般の利用では、映画やテレビのドラマやコマーシャルは屋外で撮影するロケーションが多く、大勢の出演者は撮影前に全身を厳しくチェックしなければならない。しかし、従来の全身鏡を数台持ち込でも多数の人が一度に見る事は不可能である。この鏡は１人１個づつ携行でき、ロケ現場では演技者や多数のエキストラが悪天候であっても本番直前に各自が同時に全身をチェックできる。
また、ロケの終了後、エキストラなどに出演記念として製作題名と社名を入れたものを贈呈することもできる。この鏡は高価なものから安価なものまで、ガラス・金属・プラスチックで作成できる。【０００８】  個人用の利用では、女性必携品と位置付ける。ブライダルなどのパーティーで着飾った時や、イベントの扮装などでは、入場前に全身を念入りにチエツクしなければならない。しかし、控室には大型の全身鏡が無い所もある。この鏡は各自が持参し、どのような場所であっても他人に見てもらう必要がなく、開会直前に自分で全身の服装の乱れをチェック出来る。また、その時々の服装に合わせて、洋風・和風のものを用意できる。
【図面の簡単な説明】
【００１０】
【図１】  使用時の斜視図
【図２】  携帯時の斜視図
【図３】  携帯時の側面図
【図４】  展開図
【符号の説明】
【００１１】      １…凸面全身鏡
２…凸面全身鏡ケース兼台座
３…平面顔面鏡
４…平面顔面鏡ケース兼台座
５…スタンド兼２連蝶番
６…掛止具
【図１】
2010017513.tif 000003
【図２】
2010017513.tif 000004
【図３】
2010017513.tif 000005
【図４】
2010017513.tif 000006
(57)【要約】【課題】プレスフレームの構造設計において、構成する部品を溶接することやプレストレスロッドを採用するとその組立に多大のノウハウを必要とする。溶接およびプレストレスロッドを回避しながら精度剛性ともに高いプレスフレームを安価に製作可能とすること。【解決手段】。前後左右を構成する４枚の側面板と上下一対の平行に配置された受圧板からなる六面体状のプレスフレームにおいて、側面板の内側に上下受圧板各々の厚みに整合する幅を有する溝を上下受圧板が配されるべき位置に平行に設け、該上下受圧板の4側面を側面板の該溝に嵌合させてフレームを構築することにより、六枚の板間のあらゆる平行および直角を保証するプレスフレームを容易に提供可能とした。【選択図】        図４
2010017736.tif 000002
【特許請求の範囲】
【請求項１】
前後左右を構成する４枚の側面板と上下一対の平行に配置された受圧板からなる六面体状のプレスフレームにおいて、側面板の内側に上下受圧板各々の厚みに整合する幅を有する溝を上下受圧板が配されるべき位置に平行に設け、該上下受圧板の4側面が側面板の該溝に嵌合することによりフレームを構成する６枚の板間のあらゆる平行および直角を保証することを特徴とするプレスフレームの構造。
【請求項２】
前記側面板を上下各々の受圧板の４側面にボルトで張付けていることにより筐体を維持構成することを特徴とするプレスフレームの構造。
【発明の詳細な説明】
【技術分野】
【０００１】
本発明は、例えば油圧プレスの本体などに供されるプレスフレームの構造に関するもので、該上受圧板に油圧シリンダーを取付け、そのロッド先端と下受圧板の間に被加工材を挟んで加圧すれば典型的な油圧プレスとなる。
【背景技術】
【０００２】
最も単純な構造のプレスフレームは上下受圧板の間をネジの付いた２本あるいは４本の柱で連結したものである。この構成のフレームはプレスの加圧反力はすべて柱に掛かり、上下受圧板間の距離は加圧力に応じて大きく変化し剛性が低く、また、上下受圧板の水平方向位置の保証に対しては配慮がなされていない。
次に広く採用されているのは、上下受圧板の間に第三の構造物を挟み、該柱をタイロッドと称するテンションロッドとして該プレスの加圧能力以上のプレストレスを与えた構造のものである。本構造のフレームは、剛性は改善され上下受圧板の平行度は保証されているが水平方向位置に関しては４本独立したタイロッドのプレストレスのバランスなどが影響し難しい作業が要求される。
上下受圧板の間に挟まれる第三の構造物が左右一対として配置されるか、あるいは３ないし４面で構成される一体となった物か、上下受圧板の水平方向位置を確保するために如何なる工夫をしたものかなどにはいくつもの規発明がある。
また、６枚以上の鉄板の溶接構造で成立しているプレスフレームには精度剛性ともに優れたプレスフレームが種々提案されているが本発明の分野とは異なるので説明を省略する。
更には、上下受圧板の間で上下移動をするスライドと称される部分を如何なるガイドで垂直移動を保証するかについてもいくつもの発明があるが本発明の論点はスライドガイドの方式ではない。
【０００３】
すなわち、溶接やプレストレスロッドを採用したフレームはその製作に多大のノウハウが必要で専門メーカー以外が小口、自家用に製作するには不向きである。
【発明の開示】
【発明が解決しようとする課題】
【０００４】
解決しようとする問題点は、精度、剛性ともに高いプレスフレームを溶接なし、組立後の加工なしに製作可能とするもので、その特徴は六個の板材のみで六面体を構成し、ボルト締結で構築され、組立解体が容易であることである。
【課題を解決するための手段】
【０００５】
本発明は課題解決の手段として、前後左右を構成する側面板の内側の上下受圧板が配されるべき位置に上下受圧板各々の厚みに整合する幅を有する溝を平行に設置し、該上下受圧板の4側面が側面板の該溝に嵌合することによりフレームを構成することとした。
この為、該六個の部材を組付けるだけで何等特別な技術なしに上下受圧板の水平方向位置を確保し、かつ、剛性の高いフレームを得ることができる。この筐体を保持するために側面板を上下各々の受圧板の４側面にボルトで張付けているが、本ボルトは加圧力の反力を受ける方向にはまったく無関係である。また、金型交換などのために側面板の中央部に窓を設けてある。
【発明の効果】
【０００６】
以上説明したように本発明のプレスフレームは溶接を完全に回避したため、溶接性に関係なく強度の強いハイカーボン鋼の採用を可能にしたのをはじめ、溶接歪もプレストレス歪も無関係にし得たので構成部品加工の精度そのままのプレスフレームを安価、短期間に供給することを可能にした。
【発明を実施するための最良の形態】
【０００７】
本発明構造フレームの上下受圧板の4箇所にあらかじめ設けられた穴にガイドロッドを配置し、ガイドブッシュを介して垂直移動を保証されたスライドを油圧シリンダーで駆動する構造のプレスを提案する。念のため申し添えると、組立前に加工された該穴にガイドロッドを挿入する作業は板の加工精度が良ければ何の造作もない。
ガイドロッドの本数を６本８本とすることは太さをいくらにするかと同様プレスの仕様としての個性である。また、上下受圧板の中間にガイドロッドの剛性向上のために受圧板と同様の形式の中間板を設けることも剛性向上の有効な手段である。
【実施例】
【０００８】
図２に本発明の提案するプレスフレームの断面図を示す。図３はその上面図である。
【０００９】
図１に本発明の基本構成部品と、その配置を示す。
【図面の簡単な説明】
【００１０】
【図１】本発明の基本構成部品とその配置図。
【図２】本発明の実施例の断面図。
【図３】本発明の実施例の上面図。
【図４】本発明のより具体的な実施例。油圧シリンダー、ガイドポスト、スライドが付加されている。
【図５】従来のプレストレスタイロッド方式プレスフレームの断面図。
【符号の説明】
【００１１】
１    上受圧板
２    下受圧板
３    側面板
３１  前側側面板
３２  横側側面板
３３  後側側面板（一部省略）
３１３  前側側面板に設けられた上受圧板が嵌る溝
３２５  横側側面板に設けられた上受圧板が嵌る溝
３１４  前側側面板に設けられた下受圧板が嵌る溝
３２４  横側側面板に設けられた下受圧板が嵌る溝
３１５  前側側面板に設けられた金型取付用窓
３２５  横側側面板に設けられた自動化機器用窓
４    ガイドロッド
５    スライド
６    ボルト
７    油圧シリンダー
７１  加圧ロッド
【図１】
2010017736.tif 000003
【図２】
2010017736.tif 000004
【図３】
2010017736.tif 000005
【図４】
2010017736.tif 000006
【図５】
2010017736.tif 000007
(57)【要約】      （修正有）【課題】片持ち支持工具軸を有する内歯車転造盤において発生する挟圧力に応じて生じる工具軸の曲がりタワミを相殺するメカニズムを提供する。【解決手段】工具軸２の軸方向の２点における応力と位置情報を常時モニターし、瞬時に前述２点間の必要な位置関係を２箇所の数値制御ピストン１２，３２で維持する。この制御により、挟圧力にかかわらず被加工歯車４の軸と工具歯部２１の平行を保持する場合や転造加工の最終段階で意識的に工具軸２を傾斜させ、被加工歯車にクラウニングを設ける等の操作がプログラム運転可能になった。【選択図】図１
2010017737.tif 000002
【特許請求の範囲】
【請求項１】
弊社既登録特許第３９４７２０４に公開する内歯を有する部品成形用の筒状素材を従動回転自在なコンテナ内に整合挿入した後駆動回転する外歯を有する転造工具を内側から押し当て挟圧しコンテナ回転軸と工具回転軸の間の距離を強制変化させることで該素材を円周方向に延展拡径することで内歯を有する部品を転造製作する機械における工具軸の曲がりタワミ対策構造として、転造を進行させるスライダーを前進させて待ち受けるコンテナの内壁と工具の間に挟圧力を発揮させるべく工具軸の工具直近に配置された「主軸受け」と本スライダーに搭載され工具あるいは工具軸の曲りタワミに対応して工具軸の傾きを自由に変え得る操縦部として本工具軸の工具と反対側に配置された「副軸受け函」を有していることを特徴とする内歯車転造盤。
【請求項２】
前記「主軸受け」部を包含するスライダーとその位置を制御する「転造挟圧力制御ピストン」の間、および前記「副軸受け函」とその位置を制御する「軸タワミ修正制御ピストン」の間に各々の瞬時の応力を知り得るロードセルを配するとともにその各々の位置を位置センサーで感知し得る構造を有する内歯車転造盤。
【請求項３】
前記「転造挟圧力制御ピストン」および前記「軸タワミ修正制御ピストン」の各々が前項の応力および位置情報をフィードバック可能な数値制御ピストンであることを特徴とする内歯車転造盤。
【発明の詳細な説明】
【技術分野】
【０００１】
本発明は、弊社既登録特許第３９４７２０４に公開する内歯を有する部品成形用の筒状素材を従動回転自在なコンテナ内に整合挿入した後駆動回転する外歯を有する転造工具を内側から押し当て挟圧しコンテナ回転軸と工具回転軸の間の距離を強制変化させることで該素材を円周方向に延展拡径する機械の特徴を更に補強するものである。底付きの内歯車のごとく片持支持工具軸なくしては転造不可能なアイテムを待ち受けるコンテナの内壁と工具の間で挟圧して成形しようとする場合その挟圧力を伝える工具軸は転造アイテムの精度に充分影響する量の曲がりを余儀なくされる。前記弊社特許はこの点に留意はするもののその解決手段においてその即応性に問題が残った。
【背景技術】
【０００２】
前出弊社特許においては内歯を有する部品成形用の筒状素材を従動回転自在なコンテナ内に整合挿入した後駆動回転する外歯を有する転造工具を内側から押し当て加圧しコンテナ回転軸と工具回転軸の間の距離を強制変化させることで該素材を円周方向に延展拡径することで内歯を有する部品を転造する場合、工具軸の曲がりタワミに対処する手段としてコンテナの軸方向位置を変更あるいは剛性高く保持するための垂直伸縮軸を複数用意し、その位置関係を変更してコンテナを傾斜させようとした。事前にしかるべき傾斜を設定して転造加工をする場合は問題発生しないが、転造中の挟圧力の変動に瞬時に対処して常時平行を確保する手段としては適切ではなかった。
【特許文献１】特許３９４７２０４号公報
【発明の開示】
【発明が解決しようとする課題】
【０００３】
解決しようとする問題点は、前記転造盤において被加工品のヘリカルインターナルギアの精度に大きく関わる片持支持工具軸の曲がりタワミを転造加工中常時監視し、コンテナ内壁と工具歯部の平行度を常時相応しい状態に保持することにある。
【課題を解決するための手段】
【０００４】
本発明の課題解決の手段は次のとおりである。転造を進行させるスライダーを前進させて待ち受けるコンテナの内壁と工具の間に挟圧力を発揮させるべく工具軸の工具直近に配置された「主軸受け」と本スライダーに搭載され工具軸の曲りタワミに対応して工具軸の傾きを自由に変え得る操縦部として本工具軸の工具と反対側に配置された「副軸受け函」を有していることが特徴の第一であり、更には前記「主軸受け」部を包含するスライダーと位置を制御する「転造挟圧力制御ピストン」の間、および前記「副軸受け函」とその位置を制御する「軸タワミ修正制御ピストン」の間に各々の瞬時の応力を知り得るロードセルを配するとともにその各々の位置を位置センサーで感知し得る構造を有し、その情報を瞬時に知得、演算してふたつの数値制御ピストンを介して目的を達成するものである。
本装置を活用して転造加工最終段階において、意識してふたつの数値制御ピストンをプログラム運転することで任意のクラウニングを被加工歯車に転写することも可能になる。
【発明の効果】
【０００５】
以上説明したように本発明の工具軸タワミ修正システムを組み込んだ転造盤は、内歯車を精度よく、かつ、クラウニング加工を含めて成形するためのプログラム運転を可能にした。
【発明を実施するための最良の形態】
【０００６】
本件における転造加工はその挟圧力の方向が常に一定なので、使用する数値制御ピストンは戻る方向には力は不要である。従ってスライダーおよび副軸受け函はバネ戻り機構の採用が可能である。このためふたつの数値制御ピストンはバックラッシのない構造をとることが可能になる。
【実施例】
【０００７】
図１に本発明の基本構成を示す。
【０００８】
図２はその上面図で解説のためのものである。
【図面の簡単な説明】
【０００９】
【図１】本発明の基本構成部品とその配置図。
【図２】本発明の実施例の上面図。
【図３】従来のコンテナ傾斜方式の解説図。
【符号の説明】
【００１０】
１    スライダー
１１    主軸受け
１２    転造挟圧力制御ピストン
１３    転造挟圧力感知ロードセル
１４    スライダー位置センサー
１５    スライダー押戻しバネ
２      工具軸
２１    工具歯車
２２    コンテナ
２３    コンテナ用球面軸受け
３      副軸受け函
３１    副軸受け
３２    軸タワミ修正制御ピストン
３３    軸タワミ修正力感知センサー
３４    副軸受け函位置センサー
３５    副軸受け函押戻しバネ
４      被加工歯車
５      転造盤本体
６１    コンテナ上昇数値制御ピストン
６２    コンテナ傾斜設定用数値制御ピストン
【図１】
2010017737.tif 000003
【図２】
2010017737.tif 000004
【図３】
2010017737.tif 000005